(57)【要約】【課題】紙面部の四隅の不都合がなく、使用者に不快感を与えず、かつデザイン性や美観を向上した付箋を提供する。【解決手段】複数枚の紙面部１２が接着部１４で接着されて積層された付箋１０において、紙面部１２の外形及び寸法が携帯機器の外形及び寸法と略同一となるように形成されていることにより、付箋１２全体としてのデザイン性又は美観が向上すると同時に、携帯機器の液晶部で表示させるコンテンツを紙面部１２に記載することにより、コンテンツを液晶部で表示させたときのイメージを予め確認することができる。【選択図】      図１
2017193086.tif 000002
【特許請求の範囲】
【請求項１】
複数枚の紙面部が接着部で接着されて積層された付箋において、
前記紙面部の外形及び寸法が携帯機器の外形及び寸法と略同一となるように形成されていることを特徴とする付箋。
【請求項２】
前記紙面部の四隅には、前記紙面部の四隅には面取り部が形成されていることを特徴とする請求項１に記載の付箋。
【請求項３】
前記面取り部は、湾曲状部又は傾斜状部で構成されていることを特徴とする請求項２に記載の付箋。
【請求項４】
前記紙面部には、平面視において前記携帯機器の液晶部の位置に相当する部位に目印部が設けられていることを特徴とする請求項１乃至３のいずれか１項に記載の付箋。
【請求項５】
前記目印部が所定の内容を記載可能な記載領域部を区画することを特徴とする請求項４に記載の付箋。
【請求項６】
前記記載領域部が複数の部位に区画されていることを特徴とする請求項５に記載の付箋。
【請求項７】
前記紙面部には、触覚又は視覚で方向を特定するための方向特定部が設けられていることを特徴とする請求項１乃至６のいずれか１項に記載の付箋。
【発明の詳細な説明】
【技術分野】
【０００１】
本発明は、例えば、付箋に関する。
【背景技術】
【０００２】
従来の付箋は、複数枚の紙面部が接着部で接着されて積層されている。
【０００３】
例えば、上層の紙面部に所定の事項を記載した後、当該紙面部を下層の紙面部から剥がし、例えばノートなど別の部位に貼り付けて使用する。あるいは、上層の紙面部を下層の紙面部から剥がして別に部位に貼り付けた後、上層の紙面部に所定の事項を記載して使用する。
【０００４】
これ以外にも、従来の付箋には様々な用途や使い方がある。
【先行技術文献】
【特許文献】
【０００５】
【特許文献１】特開２０１４−１８８９４５号公報
【発明の概要】
【発明が解決しようとする課題】
【０００６】
ところで、従来の付箋では、平面視にて長方形状に形成されており、無機質感が前面に出て、デザイン性や美観の点で課題があった。
【０００７】
また、紙面部の四隅には角部が形成されているため、使用頻度や使用態様によっては角部が折れ曲がることがあった。これにより、上層の紙面部が下層の紙面部から剥がし難くなることもあった。
【０００８】
紙面部の四隅には角部が使用者の身体に接触すると、チクチク感が出て、使用者に不快感を与えていた。
【０００９】
そこで、本発明は、上記問題に鑑み、紙面部の四隅の不都合がなく、使用者に不快感を与えず、かつデザイン性や美観を向上した付箋を提供することを目的とする。
【課題を解決するための手段】
【００１０】
本発明は、複数枚の紙面部が接着部で接着されて積層された付箋において、
前記紙面部の外形及び寸法が携帯機器の外形及び寸法と略同一となるように形成されていることを特徴とする。
【００１１】
この場合、前記紙面部の四隅には、前記紙面部の四隅には面取り部が形成されていることが好ましい。
【００１２】
この場合、前記面取り部は、湾曲状部又は傾斜状部で構成されていることが好ましい。
【００１３】
この場合、前記紙面部には、平面視において前記携帯機器の液晶部の位置に相当する部位に目印部が設けられていることが好ましい。
【００１４】
この場合、前記目印部が所定の内容を記載可能な記載領域部を区画することが好ましい。
【００１５】
この場合、前記記載領域部が複数の部位に区画されていることが好ましい。
【００１６】
この場合、前記紙面部には、触覚又は視覚で方向を特定するための方向特定部が設けられていることが好ましい。
【発明の効果】
【００１７】
本発明によれば、紙面部の外形及び寸法が携帯機器の外形及び寸法と略同一となるように形成されていることにより、付箋全体としてのデザイン性又は美観が向上する。また同時に、携帯機器の液晶部で表示させるコンテンツを紙面部に記載することにより、コンテンツを液晶部で表示させたときのイメージを予め確認することができる。
【００１８】
また、紙面部の四隅には、面取り部が形成されていることにより、紙面部の四隅に角部が形成されている構成と比較して、四隅が折れず、全体の美観が損なわない。また、紙面部の四隅が使用者の身体に接触しても四隅が折れず、又は使用者に不快感を与えない。
【００１９】
また、面取り部が湾曲状部又は傾斜状部で構成されていることにより、デザイン性と美観が向上し、紙面部の四隅が容易に折り曲がらず、使用者の身体に接触しても不快感を与えない。
【００２０】
また、紙面部には、平面視において携帯機器の液晶部の位置に相当する部位に目印部が設けられていることにより、付箋上において携帯機器の液晶部の位置を示すことができる。
【００２１】
また、前記目印部が所定の内容を記載可能な記載領域部を区画することにより、所定の内容を記載することができる。そして、目印部が実際の携帯機器の液晶部の領域及び位置を示しているため、液晶部で表示させるコンテンツの大きさ又は形状等を紙面部上で再現することができる。
【００２２】
また、記載領域部が複数の部位に区画されていることにより、液晶部に複数のコンテンツを表示させるときに当該コンテンツの内容を記載領域部に記載してイメージ化を図ることができる。
【００２３】
また、紙面部には、触覚又は視覚で方向を特定するための方向特定部が設けられていることにより、触覚又は視覚だけで付箋の方向又は向きを把握することができる。特に、中心線に対して非対称形状の付箋にとっては、紙面部に所定の内容を記載するときに当該内容の方向又は向きの間違いを防止できる。また、中心線に対して対称形状の付箋にとっては、紙面部の方向又は向きを特定するための目安を設けることができる。
【図面の簡単な説明】
【００２４】
【図１】本発明の第１実施形態の付箋の斜視図である。
【図２】図１の付箋とは異なる態様の付箋の斜視図である。
【図３】図１の付箋とは異なる態様の付箋の斜視図である。
【図４】本発明の第２実施形態の付箋の斜視図である。
【図５】本発明の第３実施形態の付箋の斜視図である。
【発明を実施するための形態】
【００２５】
本発明の付箋について、以下、図面を参照して説明する。
【００２６】
［第１実施形態］
先ず、第１実施形態の付箋について説明する。
【００２７】
図１乃至図３に示すように、第１実施形態の付箋１０は、複数枚の紙面部１２が接着部１４で接着されて積層されている。複数枚の紙面部１２は、全て同一の形状及び寸法に形成されており、これらが積層されて付箋１０を構成する。
【００２８】
紙面部１２は、全て所定の形状及び寸法に形成されており、積層される枚数は特に限定されない。
【００２９】
接着部１４は、例えば、紙面部の一部に設けられた粘着物質やシールである。接着部については従来のものを使用することができる。
【００３０】
ここで、全ての紙面部１２の外形及び寸法が携帯機器の外形及び寸法と略同一となるように形成されている。
【００３１】
紙面部１２の外形とは、紙面部１２の外形状を意味する。同一形状の紙面部１２を複数枚積層させることにより所定の厚みを出して、携帯機器（図示省略）のような外形状に見せることができる。
【００３２】
紙面部１２の外形とは、紙面部１２の外側の寸法を意味する。同一寸法の紙面部１２を複数枚積層させることにより一部の紙面部１２だけがはみ出して積層されることがない。また、携帯機器の外側の寸法と同一寸法とすることにより、携帯機器（図示省略）の寸法と同じ寸法の付箋を提供することができる。
【００３３】
携帯機器とは、例えば携帯電話装置であり、アンドロイド端末やアイフォン端末など現有する端末を意味する。また、携帯機器は、携帯電話装置などの電話機能を有する通信機器に限定されず、インターネット等の広くネットに接続できる通信機器であればよい。
【００３４】
ここで、平面視において紙面部１２の四隅には面取り部１６が形成されていることが好ましい。面取り部１６は、角部が削られ又は切り取られることにより形成される。また、面取り部１６は、紙面部１２の形成過程において型で形成されてもよい。
【００３５】
特に、本実施形態では、面取り部１６の一例として、湾曲状に形成された湾曲状部１８が形成されている。しかし、湾曲状部に限定されることはなく、傾斜状に形成された傾斜状部を形成してもよい。もっとも、湾曲状部１８又は傾斜状部は、面取り部１６の一例であり、これらの形状に限定されるものではない。
【００３６】
紙面部１２には、平面視において携帯機器の液晶部の位置に相当する部位に目印部２０が設けられている。これにより、付箋の外形及び寸法が携帯機器のそれらと同一であり、かつ紙面部１２には目印部２０によって携帯機器の液晶部の位置をイメージできる。
【００３７】
目印部２０は、所定の内容を記載可能な記載領域部２２を区画することが好ましい。これにより、目印部２０を目途にして所定の内容を記載することができ、かつ当該内容に相当するコンテンツ通信機器の液晶部で表示させたときのイメージを把握することができる。これにより、紙面部１２に例えば遷移図の下書きをすることにより、通信機器に配信されるアプリを起動したときの液晶部の状況を予想できる。
【００３８】
ここで、記載領域部２２は、罫線等の線、図形、絵、柄、ロゴ、色などの目印部２０で区画されていることが好ましい。図１では紙面部１２の上部の位置と下部の位置に水平方向に延びた１本の直線２０Ａ、２０Ｂが印字され、図２では四角形状の枠体２０Ｃが表示されている。これらにより、記載領域部２２を視覚化することができ、携帯機器の液晶部に相当する位置に所定の内容を記載することができる。
【００３９】
目印部２０は、紙面部１２に印字されていることが好ましいが、既存の付着手段等により後付けで取り付けることもできる。この構成では、目印部２０の位置は、携帯機器の機種に応じて、使用者に自由に位置決定することができる。
【００４０】
また、図３に示すように、記載領域部２２が複数の部位に区画されていてもよい。これにより、記載領域部２２に複数の内容を記載するときに、記載内容同士の最適な位置関係や大きさを確認することができる。特に、記載領域部２２に記載された記載内容に相当したコンテンツを携帯機器の液晶部で表示させたときの位置関係を予め把握することができる。
【００４１】
次に、本発明の第１実施形態に係る付箋１０の作用について説明する。
【００４２】
図１乃至図３に示すように、紙面部１２の外形及び寸法が携帯機器の外形及び寸法と略同一となるように形成されていることにより、付箋全体としてのデザイン性又は美観が向上する。また同時に、携帯機器の液晶部で表示させるコンテンツを紙面部１２に記載することにより、コンテンツを液晶部で表示させたときのイメージを予め確認することができる。
【００４３】
紙面部１２の四隅には、面取り部１６が形成されていることにより、紙面部１２の四隅に角部が形成されている構成と比較して、四隅が折れず、全体の美観が損なわない。また、紙面部１２の四隅が使用者の身体に接触しても四隅が折れず、又は使用者に不快感を与えない。
【００４４】
特に、面取り部１６が湾曲状部１８で構成されていることにより、紙面部１２を裁断等すること等により容易に形成することができる。また、湾曲状部１８によってデザイン性と美観が向上し、紙面部１２の四隅が容易に折り曲がらず、使用者の身体に接触しても不快感を与えない。なお、湾曲状部１８に替えて、紙面部１２に傾斜状部（図示省略）が形成されていても、同様の作用効果を発揮する。
【００４５】
紙面部１２には、平面視において携帯機器の液晶部の位置に相当する部位に目印部２０が設けられていることにより、付箋１０の紙面部１２上において携帯機器の液晶部の位置を示すことができる。これにより、目印部２０に沿って所定の内容を記載することにより、携帯機器の液晶部で表示させるコンテンツの位置や大きさを紙面部１２上で予め確認することができる。
【００４６】
特に、目印部２０が所定の内容を記載可能な記載領域部２２を区画することにより、所定の内容を記載することができる。そして、目印部２０が実際の携帯機器の液晶部の領域及び位置を示しているため、液晶部で表示させるコンテンツの大きさ又は形状等を紙面部１２上で再現することができる。
【００４７】
ここで、図１に示すように、記載領域部２２を企画するための目印部２０の一例として、上部の位置に水平方向にわたって印字された１本の直線２０Ａと、下部の位置に水平方向にわたって印字された１本の直線２０Ｂと、を用いることができる。この構成では、紙面部１２のデザイン性がより向上するとともに、所定の内容を記載したときに線が記載内容に干渉し難い。
【００４８】
図１に示す目印部２０は、直線に限定されず、１本に限定されるものでもない。曲線状のものでもよいし、２本以上の複数の線でもよい。また、水平方向に延びる構成にも限定されず、傾斜していてもよいし、所定のロゴになっていてもよい。線は、実線でも破線でもよく、線の種類は一切問われない。
【００４９】
また、図２に示すように、記載領域部２２を区画するための目印部２０の一例として、四角形状の枠体２０Ｃで構成することにより、記載領域部２２を視認し易くなり、記載領域部２２に所定の内容を記載し易くなる。
【００５０】
図２に示す目印部２０は、四角形状の枠体２０Ｃに限定されるものではない。例えば、丸形状やその他の多角形状等、他の形状でもよく、枠体２０Ｃのデザイン及び形状は一切問われない。
【００５１】
特に、図３に示すように、記載領域部２２が複数の部位に区画されていることにより、液晶部に複数のコンテンツを表示させたいときに当該複数のコンテンツの内容を記載領域部２２に記載して事前のイメージ化を図ることができる。
【００５２】
［付箋の用途］
次に、第１実施形態の付箋の用途について説明する。
【００５３】
例えば、携帯機器に対して配信されるアプリケーションの中で、液晶部に表示させたいアイコン、文字、図形、その他の情報のデザインを付箋１０の紙面部１２に記載する。そして、液晶部で変化していくこれらの情報の遷移図を複数枚にわたって紙面部１２に記載してデザインを構築するステップが必要となる。
【００５４】
このようなときに、付箋１０の紙面部１２にデザインを記載し、それを剥がし、例えばホワイトボードへ貼り付けていく。次の紙面部１２には遷移するデザインを記載して、剥がし、ホワイトボードへ貼り付けていく。このように遷移していくデザインを紙面部１２に記載してホワイトボードに張り付けていくとともに、紙面部１２が携帯機器の外形及び寸法と同一の外形及び寸法に形成されているため、紙面部１２に記載されたデザインが実際に携帯機器に配信されたアプリケーション上のコンテンツの大きさとみなすことができる。すなわち、紙面部１２に記載されたデザインの大きさをそのまま実装されたコンテンツの大きさとみなすことができ、最適なデザイン設計が可能になる。
【００５５】
［第２実施形態］
次に、第２実施形態の付箋について説明する。第１実施形態の付箋の構成と同じ構成について同符号を付し、適宜、説明を省略する。また、第２実施形態の付箋は、第１実施形態の付箋の構成の少なくとも一つの構成を有していてもよい。
【００５６】
図４に示すように、第２実施形態の付箋１０は、紙面部１２に、触覚又は視覚で方向を特定するための方向特定部２４が設けられている。
【００５７】
ここで、触覚で方向を特定するための方向特定部２４とは、例えば、図４に示すように、紙面部１２に形成された方向特定形状部２６などである。
【００５８】
方向特定形状部２６は、例えば、紙面部１２の外縁の少なくとも一部に形成された溝、切欠きなどであり、これらが形成されている側が、例えば上側と決定される。また、紙面部１２の四隅に形成された少なくとも１つの面取り部１６の形状を、他の面取り部１６の形状と異なるようにしてもよい。形状の異なる面取り部１６が形成されている側が、例えば上側と決定される。
【００５９】
ここで、視覚で方向を特定するための方向特定部２４とは、図示しないが、例えば、紙面部１２に表示された方向特定情報部、あるいは紙面部１２に施された方向特定着色部などである。
【００６０】
方向特定情報部は、例えば、文字、記号、図形、ロゴなどが含まれ、これらの方向特定情報部が表示されている側が、例えば上側と決定される。
【００６１】
方向特定着色部は、青色、赤色、黄色などの様々な色が含まれ、これらの方向特定着色部が施されている側が、例えば上側と決定される。
【００６２】
次に、第２実施形態の付箋１０の作用について説明する。
【００６３】
図４に示すように、紙面部１２に、触覚又は視覚で方向を特定するための方向特定部２４が設けられているため、触覚又は視覚だけで付箋１０の方向を把握することができる。
【００６４】
これにより、紙面部１２が上下対称の形状に設計されていた場合でも、紙面部１２の方向性を容易に把握することができるため、紙面部１２に記載されたデザインが逆さまになるなどの誤記が生じない。
【００６５】
この結果、特に紙面部１２の中心線に対して非対称形状の付箋１０にとっては、紙面部１２に所定の内容を記載するときに当該内容の方向又は向きの間違いを防止できる。このように、特に中心線に対して対称形状の付箋１０にとっては、紙面部１２の方向又は向きを特定するための目安を設けることができる。
【００６６】
［第３実施形態］
次に、第３実施形態の付箋について説明する。第１実施形態又は第２実施形態の付箋の構成と同じ構成について同符号を付し、適宜、説明を省略する。また、第３実施形態の付箋は、第１実施形態又は／及び第２実施形態の付箋の構成の少なくとも一つの構成を有していてもよい。
【００６７】
図５に示すように、第３実施形態の付箋１０は、１枚の紙面部１２が紙表面部１２Ａとシール部１２Ｂの２層で構成されている。このように、２層で構成された紙面部１２が複数枚積層されて付箋１０が構成されている。
【００６８】
記載領域部２２だけをシール部１２Ｂから剥がして、例えば、ホワイトボードや携帯機器の液晶部に貼り付けて使用することができる。
【００６９】
ここで、記載領域部２２は、例えばミシン目等によって複数の領域に区画されていてもよい。すべての区画領域１２Ｃがシール部１２Ｂに接着されており、個別に剥がすことができる。これにより、一部の区画領域１２Ｃに相当する部分を剥がして別の部位に取り付けることも可能である。
【００７０】
また同時に、紙面部１２の記載領域部２２に複数のデザインを記載するときに、一部のデザインについて誤記することもある。この場合には、当該誤記したデザインが位置する区画領域１２Ｃを別（例えば、下層）の紙面部１２から剥がして上層の紙面部１２の誤記したデザインの位置に貼り付けてもよい。
【００７１】
次に、第３実施形態の付箋１０の作用について説明する。
【００７２】
図５に示すように、紙面部１２の記載領域部２２をシール部１２Ｂから剥がして別の部位に貼り付けることで、貼付力が高くなる。これにより、記載領域部２２が容易に離脱又は落下しない。
【００７３】
また、記載領域部２２の一部のデザインを誤記した場合又はデザインを変更したい場合には、当該訂正部分に相当する区画領域１２Ｃを別の紙面部１２から剥がして、訂正部分に貼り付けることによりそこに再度、デザインを記載することができる。これにより、記載領域部２２の全ての領域のデザインを書き直す必要がなく、手間と時間を軽減できる。
【００７４】
なお、上記実施形態は、本発明の一例に過ぎないものである。このため、本発明は、上記実施形態の内容に限定されるものでない。
【符号の説明】
【００７５】
１０      付箋
１２      紙面部
１２Ａ    紙表面部
１２Ｂ    シール部
１２Ｃ    区画領域
１４      接着部
１６      面取り部
１８      湾曲状部
２０      目印部
２２      記載領域部
２４      方向特定部
２６      方向特定形状部
【図１】
2017193086.tif 000003
【図２】
2017193086.tif 000004
【図３】
2017193086.tif 000005
【図４】
2017193086.tif 000006
【図５】
2017193086.tif 000007